(57)【要約】【課題】流通過程で蓋を容易に開放することができないレフィル容器を有する二重容器を提案する。【解決手段】本発明に係る二重容器１００は、レフィル容器２０と蓋体３０と本体容器１０とを備え、レフィル容器２０は、周壁２１の外周面から突出する係合突起２６と、嵌合爪２３ａを有する係合筒部２３とを有し、蓋体３０は、側壁３１の内周面に係合突起２６に係合可能な内側突部３２が配設され、本体容器１０は、蓋体押圧部１２と、外周壁１１の下部から内周側に突出する突出リング１３ａとを有し、嵌合爪２３ａが突出リング１３ａに係合し、蓋体押圧部１２及び側壁３１の下端部３３は、上下方向の凹凸が周方向に同期して変化する相補的形状を有し、相補的形状同士が上下方向の凹凸の長さよりも短い距離で近接することを特徴とする。【選択図】図２
2018140831.tif 000002
【特許請求の範囲】
【請求項１】
筒状の周壁と該周壁の下端を閉塞する底壁を有し内容物を収容するレフィル容器と、該レフィル容器の上部開口を閉塞する蓋体と、前記周壁を径方向外側から覆う外周壁を有し前記レフィル容器を着脱交換可能に収容する本体容器と
を備える二重容器であって、
前記レフィル容器は、前記周壁の外周面から径方向外側に突出する係合突起と、前記底壁から下方に延び、その外周面に嵌合爪を有する係合筒部とを有し、
前記蓋体は、
天壁と、該天壁の外周端から下方に垂下する側壁とを有し、
該側壁の内周面には、前記係合突起にアンダーカット係合可能な内側突部が配設され、
前記本体容器は、前記外周壁の上端部に設けられた蓋体押圧部と、前記外周壁の下部から径方向内側に突出する突出リングとを有し、前記レフィル容器が前記本体容器に収容されることで、前記嵌合爪が前記突出リングにアンダーカット係合し、
前記蓋体押圧部、及び前記側壁の下端部は、上下方向の凹凸が周方向に同期して変化する相補的形状を有し、前記本体容器に、前記蓋体が装着された前記レフィル容器が収容されると、前記相補的形状同士が前記上下方向の凹凸の長さよりも短い距離で近接することを特徴とする二重容器。
【請求項２】
前記天壁の上面には、前記係合筒部の半径位置に対応して設けられた押圧部が上方に突出しており、該押圧部又は前記係合筒部の少なくともいずれか一方には、径方向外側に向けて上方に傾斜する傾斜面が設けられており、
前記レフィル容器を収容した前記本体容器が上方から前記蓋体に押し付けられると、前記押圧部からの押圧力により前記係合筒部が径方向内側に弾性変形して前記嵌合爪と前記突出リングとの係合が解除される、請求項１に記載の二重容器。
【請求項３】
前記係合突起の上方には本体蓋に係合可能な係合部が設けられており、該係合部の外径は前記係合突起の外径よりも小さい、請求項１又は２に記載の二重容器。
【請求項４】
前記押圧部は、径方向外側に向かって上方に傾斜する傾斜面を有する、請求項１乃至３のいずれか一項に記載の二重容器。
【請求項５】
前記蓋体押圧部及び前記側壁の下端部が成す前記相補的形状は、三角波又は正弦波形状である、請求項１乃至４のいずれか一項に記載の二重容器。
【発明の詳細な説明】
【技術分野】
【０００１】
本発明は、内容物を収容したレフィル容器と、レフィル容器を着脱交換可能に収容する本体容器とを有する二重容器に関するものである。
【背景技術】
【０００２】
省資源化の観点から、内容物が充填されるレフィル容器を本体容器に着脱可能に収容することで、本体容器を繰り返し用いることが可能な詰替容器が提案されている。例えば、特許文献１には、合成樹脂層と酸素バリア層とを積層した積層フィルムを絞り成形して底部と側壁部とフランジ部とを一体的に形成してガスバリア性を高めた詰替容器用レフィル容器が開示されている。
【先行技術文献】
【特許文献】
【０００３】
【特許文献１】特開２０１３−１６６５６３号公報
【発明の概要】
【発明が解決しようとする課題】
【０００４】
このような内容物を補充するレフィル容器は、流通段階において通常は紙箱等に収納されているが、これらの紙箱等を用いずにレフィル容器を流通させることができれば、更なる省資源化に貢献し得る。
【０００５】
しかし、特許文献１に記載のレフィル容器では、レフィル容器本体の上部開口に被覆シール部を剥離可能に被覆してレフィル容器の収容物を密閉する構成をとっている。従って、レフィル容器の流通段階において被覆シール部が意図的に又は偶発的に剥離されると、商品価値を損なってしまう。
【０００６】
本発明は、このような問題点を解決することを課題とするものであり、その目的は、流通過程で蓋を容易に開放することができないレフィル容器を有する二重容器を提案することである。
【課題を解決するための手段】
【０００７】
本発明は、筒状の周壁と該周壁の下端を閉塞する底壁を有し内容物を収容するレフィル容器と、該レフィル容器の上部開口を閉塞する蓋体と、前記周壁を径方向外側から覆う外周壁を有し前記レフィル容器を着脱交換可能に収容する本体容器と
を備える二重容器であって、
前記レフィル容器は、前記周壁の外周面から径方向外側に突出する係合突起と、前記底壁から下方に延び、その外周面に嵌合爪を有する係合筒部とを有し、
前記蓋体は、
天壁と、該天壁の外周端から下方に垂下する側壁とを有し、
該側壁の内周面には、前記係合突起にアンダーカット係合可能な環状突部が配設され、
前記本体容器は、前記外周壁の上端部に設けられた蓋体押圧部と、前記外周壁の下部から径方向内側に突出する突出リングとを有し、前記レフィル容器が前記本体容器に収容されることで、前記嵌合爪が前記突出リングにアンダーカット係合し、
前記蓋体押圧部、及び前記側壁の下端部は、上下方向の凹凸が周方向に同期して変化する相補的形状を有し、前記本体容器に、前記蓋体が装着された前記レフィル容器が収容されると、前記相補的形状同士が前記上下方向の凹凸の長さよりも短い距離で近接することを特徴とする二重容器である。
【０００８】
また、前記天壁の上面には、前記係合筒部の半径位置に対応して設けられた押圧部が上方に突出しており、該押圧部又は前記係合筒部の少なくともいずれか一方には、径方向外側に向けて上方に傾斜する傾斜面が設けられており、
前記レフィル容器を収容した前記本体容器が上方から前記蓋体に押し付けられると、前記押圧部からの押圧力により前記係合筒部が径方向内側に弾性変形して前記嵌合爪と前記突出リングとの係合が解除されることが好ましい。
【０００９】
また、前記係合突起の上方には本体蓋に係合可能な係合部が設けられており、該係合部の外径は前記係合突起の外径よりも小さいことが好ましい。
【００１０】
また、前記押圧部は、径方向外側に向かって上方に傾斜する傾斜面を有することが好ましい。
【００１１】
また、前記蓋体押圧部及び前記側壁の下端部が成す前記相補的形状は、三角波又は正弦波形状であることが好ましい。
【発明の効果】
【００１２】
本発明によれば、流通過程で蓋を容易に開放することができないレフィル容器を有する二重容器を提案することができる。
【図面の簡単な説明】
【００１３】
【図１】本発明の一実施形態に係る二重容器を構成するレフィル容器、及び蓋体の正面一部断面図である。
【図２】図１のレフィル容器を、本体容器に収容した状態を示す正面断面図である。
【図３】本発明の一実施形態に係る二重容器の使用時の状態を示す正面半断面図である。
【図４】本発明の一実施形態に係る二重容器からレフィル容器を取り外す過程を示す正面断面図である。
【発明を実施するための形態】
【００１４】
以下、図面を参照して、本発明をより具体的に説明する。
【００１５】
図１は、本発明の一実施形態に係る二重容器１００を構成するレフィル容器２０、及び蓋体３０の正面断面図である。なお、本実施形態に係る二重容器１００は、レフィル容器２０及び蓋体３０の他に、本体容器１０及び本体蓋４０を有するが、これらについては図３等を用いて後ほど詳述する。本明細書、特許請求の範囲、要約書および図面では、蓋体３０が位置する側を上方（図１における上側）とし、レフィル容器２０の底壁２２が位置する側を下方（図１における下側）とする。また、径方向外側とは、図１におけるレフィル容器２０の中心軸線Ｏを通り中心軸線Ｏに垂直な直線に沿って外側に向かう方向であり、径方向内側とは、当該直線に沿って中心軸線Ｏに向かう方向を指すものとする。
【００１６】
レフィル容器２０は、筒状の周壁２１と、周壁２１の下端を閉塞する底壁２２を有し、収容空間Ｓ内に内容物を収容する。周壁２１の外周面上部における雄ねじ部２７の直下には、蓋体３０をアンダーカット係合によりレフィル容器２０に固定するための係合突起２６が径方向外側に向けて突出して設けられている。周壁２１の上端は、上部開口２１ａを構成し、上方から蓋体３０で覆われることにより閉塞される。周壁２１の下端には、底壁２２を越えて更に下方へと延びる底部周壁２４が配設されており、底部周壁２４の内周面には、周方向に一定間隔でリブ２４ａが設けられている。また、底部周壁２４の径方向内側において底壁２２から下方に向かって係合筒部２３が垂下している。そして、係合筒部２３の下端部における外周面には、嵌合爪２３ａが径方向外側に向けて突出している。
【００１７】
レフィル容器２０の上部開口２１ａには、図１に示すように、蓋体３０がアンダーカット係合により取り付けられている。蓋体３０は、上部開口２１ａを覆う天壁３５と天壁３５の外周端から下方に垂下する側壁３１とを有する。天壁３５の下面からはシール壁３６が垂下し、レフィル容器２０の周壁２１の内周面に嵌合している。側壁３１の内周面には内側突部３２が配設され、上述の係合突起２６にアンダーカット係合することにより蓋体３０をレフィル容器２０に係合固定することができる。
【００１８】
側壁３１の下端部３３は、図１に示すように三角波状に形成されており、後述するように下端部３３と本体容器１０の蓋体押圧部１２とは、上下方向の凹凸が周方向に同期して変化する相補的形状の関係にある。すなわち、下端部３３が下に凸形状を有する周方向位置では蓋体押圧部１２は下に凹形状を有し、下端部３３が上に凹形状を有する周方向位置では蓋体押圧部１２は上に凸形状を有している。
【００１９】
レフィル容器２０は、図１に示すように、収容空間Ｓ内に内容物を収容した状態で上部開口２１ａを蓋体３０で閉塞され、出荷及び販売される。そして、蓋体３０は、レフィル容器２０の上部開口２１ａを覆った状態でアンダーカット係合により固定されている。従って、図１のレフィル容器２０に対して何ら包装を施すことなく流通過程に置いても、アンダーカット係合を容易に解除することはできないため、意図的に又は偶発的に蓋体３０が開けられてしまう可能性を低減することができる。
【００２０】
図２は、図１のレフィル容器２０を本体容器１０に収容した状態を示す正面断面図である。本体容器１０は、レフィル容器２０の周壁２１を径方向外側から覆う外周壁１１と、外周壁１１の下端に連なり径方向内側方向へ延びる本体底壁１４と、本体底壁１４の内周端から上方へと延びる底部筒壁１３とを有する。そして、底部筒壁１３の内周面から径方向内側に向けて突出リング１３ａが設けられている。
【００２１】
レフィル容器２０を本体容器１０に収容した図２の状態において、底部周壁２４の下端部が外周壁１１と底部筒壁１３との間の空間に挿入される。そして、底部周壁２４に設けられたリブ２４ａが底部筒壁１３の回り止めリブ１３ｂの間に入り込むことにより、レフィル容器２０は本体容器１０に対して周方向に回転不能状態で固定される。また、レフィル容器２０の底壁２２から垂下する係合筒部２３の嵌合爪２３ａが突出リング１３ａに対してアンダーカット係合することでレフィル容器２０は上方に引き抜き不能となる。
【００２２】
外周壁１１の上端部には、蓋体３０の側壁３１の下端部３３を上方へ押圧可能な蓋体押圧部１２が設けられている。蓋体押圧部１２は、三角波状に形成されており、先述のように、蓋体３０の側壁３１の下端部３３とは、上下方向の凹凸が周方向に同期して変化する相補的形状の関係にある。そして、蓋体３０が装着されたレフィル容器２０を本体容器１０に収容する際に、相補的形状の位相が合致するようにリブ２４ａと回り止めリブ１３ｂを嵌合させることにより、側壁３１の下端部３３と蓋体押圧部１２とは、三角波の上下方向の長さよりも短い距離で近接した状態となる。
【００２３】
利用者は、側壁３１の下端部３３と蓋体押圧部１２の三角波同士が噛み合い、三角波の上下方向の長さよりも両者が近接した図２の状態において、蓋体３０を例えば側壁３１を把持しながら周方向に回転させる。このとき、レフィル容器２０と本体容器１０とは、リブ２４ａが回り止めリブ１３ｂに噛み合うことにより相対回転しないため、蓋体３０のみが本体容器１０及びレフィル容器２０に対して周方向に回転する。すると、蓋体押圧部１２の三角波と側壁３１の下端部３３の三角波との周方向の位相がずれるため、下端部３３側の三角波は、蓋体押圧部１２側の三角波の斜辺に沿って上方に持ち上げられ、レフィル容器２０と蓋体３０の上下方向の距離が離間する。このとき、内側突部３２が係合突起２６を乗り越えて上方に移動するため、両者のアンダーカット係合が解除される。これにより、利用者は、蓋体３０を容易に上方へと持ち上げて取り外すことができる。
【００２４】
なお、本実施形態では、側壁３１の下端部３３と蓋体押圧部１２とが、三角波の上下方向の長さよりも短い距離で近接するように構成している。両者の距離が三角波の上下方向の長さよりも長い場合、蓋体３０を周方向に回転させても、下端部３３と蓋体押圧部１２とが接触しないため、蓋体３０を上方に押圧する力が作用しないからである。
【００２５】
図３は、本発明の一実施形態に係る二重容器１００の使用時の状態を示す正面半断面図である。利用者は、図２においてレフィル容器２０との係合が外れた蓋体３０を取り除いた後、図３に示す本体蓋４０を使用する。本体蓋４０は、天壁４３と、天壁４３の外周端から垂下する側壁４１とを有する。本体蓋４０の取り付けは、側壁４１の内周面に設けられている雌ねじ部４１ａをレフィル容器２０の周壁２１上部の外周面に配設されている雄ねじ部２７にねじ係合させることにより行う。なお、本実施形態では、雄ねじ部２７の外径が係合突起２６の外径より小さくなるようにして、蓋体３０の取り外し時に内側突部３２が雄ねじ部２７に強く当たらないように構成している。
【００２６】
図４は、本発明の一実施形態に係る二重容器１００からレフィル容器２０を取り外す工程を示す正面断面図である。利用者は、レフィル容器２０の収容空間Ｓ内の内容物を使い切ると、空になったレフィル容器２０を本体容器１０から取り外す必要がある。利用者は、図４に白抜き矢印で示すように、蓋体３０付きの未使用のレフィル容器２０に対して、上方から使用済みのレフィル容器２０を収容した本体容器１０を押し付ける。図４に示すように、蓋体３０の天壁３５には、上方に向けて突出する押圧部３７が設けられている。押圧部３７は、径方向外側に向かって上方に傾斜する傾斜面３７ａと、上下方向に延びる支持部３７ｂとが上端において連結された構成を有することによって半径方向の押圧力に対して弾性変形しづらく構成されている。そして、押圧部３７の傾斜面３７ａにより本体容器１０内に収容されたレフィル容器２０の係合筒部２３を下方から押圧することにより、係合筒部２３は、上方及び径方向内側への押圧力をうけて図４に示すように径方向内側へと弾性変形する。これによって、嵌合爪２３ａと突出リング１３ａとの係合が解除されるため、太線矢印で示すように、上方に向けてレフィル容器２０を本体容器１０から容易に取り出すことができる。
【００２７】
利用者は、内容物を使用済みのレフィル容器２０を本体容器１０から取り外した後、図２に示すように、これまで使用してきた本体容器１０内に内容物が充填された新たなレフィル容器２０を収容する。これによって、同一の本体容器１０及び本体蓋４０を繰り返し使用しつつ、内容物を補充することができる。
【００２８】
なお、本実施形態では、図４に示すように、押圧部３７に傾斜面３７ａが設けられている他、係合筒部２３についても下端部に嵌合爪２３ａが設けられることにより傾斜面２３ｂが形成されている。そして径方向外側に向かって上方に傾斜する傾斜面３７ａ，２３ｂ同士が当接することにより、係合筒部２３は上方及び径方向内側への押圧力をうけて径方向内側へと弾性変形する。しかし、この態様には限定されず、例えば、傾斜面を有さない押圧部３７が係合筒部２３の傾斜面２３ｂに当接することによって係合筒部２３を径方向内側へと弾性変形させて嵌合爪２３ａと突出リング１３ａとの係合を解除させるように構成してもよい。また、傾斜面３７ａが、傾斜面を有しない係合筒部２３を上方及び径方向内側へと押圧して径方向内側に弾性変形させるようにしてもよい。
【００２９】
また、本実施形態では、本体蓋４０とレフィル容器２０とがねじ係合により固定されるように構成したが、この態様には限定されない。本体蓋４０についても打栓力が小さいアンダーカット係合によって固定されるように構成してもよい。その場合、本体蓋４０と係合する突起は、蓋体３０固定用の係合突起２６よりも突出量が小さくなるようにして蓋体３０の取り外しの妨げにならないように構成することが好ましい。
【００３０】
また、本実施形態では、蓋体押圧部１２、及び蓋体３０の側壁３１の下端部３３が共に三角波形状を有するように構成したが、この態様には限定されない。例えば、両者が正弦波形状を有するように構成してもよい。また、蓋体押圧部１２と側壁３１の下端部３３が厳密に相補的形状を有している必要はない。両者の形状が異なっていても、概ね同じ上下方向長さと位相を有していれば、蓋体３０の回転操作によってアンダーケット係合を解除させることができる。従って、例えば三角波と正弦波の組み合わせ等であってもよい。
【００３１】
また、本実施形態では、蓋体３０側と本体容器１０側の三角波形状が全周に亘って設けられるように構成したが、この態様には限定されない。三角波形状が周方向の一部にのみ設けられるように構成してもよい。但し、この三角波形状により蓋体３０をレフィル容器２０に対して上方に持ち上げる力を生成しているため、三角波形状を周方向の一部に設ける場合は、バランスの観点から少なくとも対向する２か所に設けることが好ましい。これは、相補的形状が三角波以外の形状であっても同様である。
【００３２】
以上述べたように、本実施形態においては、蓋体３０をアンダーカット係合によりレフィル容器２０に固定すると共に、蓋体３０付きのレフィル容器２０を本体容器１０に収容すると、蓋体３０側と本体容器１０側の相補的形状が近接して対向するように構成した。これによって、レフィル容器２０を包装することなく流通段階に置いても、意図的に又は偶発的に蓋体３０が開けられてしまう可能性を低減させることができる。一方、レフィル容器２０を本体容器１０に収容するという使用段階における通常の作業の際に、蓋体３０を周方向に回転させる操作のみで蓋体３０をレフィル容器２０から容易に取り外すことができる。
【００３３】
また、本実施形態では、レフィル容器２０の底壁２２から垂下する係合筒部２３に設けられた嵌合爪２３ａが本体容器１０の底部に配設した突出リング１３ａにアンダーカット係合することにより、使用時にレフィル容器２０が本体容器１０から容易に外れないようにした。その一方で、レフィル容器２０内の内容物を使用した後は、図４に示すように、使用済みのレフィル容器２０を収容した本体容器１０を、内容物が充填された新たなレフィル容器２０の蓋体３０に対して上方から押し付けることにより、蓋体３０の上面に設けた押圧部３７が係合筒部２３を径方向内側に弾性変形させるようにした。これによって、嵌合爪２３ａと突出リング１３ａとの係合が容易に外れるため、新たな器具等を用いることなく使用済みのレフィル容器２０を本体容器１０から容易に取り外すことができる。
【００３４】
また、本実施形態では、係合突起２６の上方に本体蓋４０と係合可能な雄ねじ部２７（係合部）を設け、雄ねじ部２７の外径が係合突起２６の外径よりも小さくなるように構成した。これによって、レフィル容器２０に対して蓋体３０に加えて本体蓋４０を着脱可能にすると共に、蓋体３０を取り外す際に雄ねじ部２７が妨げになりにくくすることができる。
【００３５】
また、本実施形態では、蓋体３０の上面に設けた押圧部３７は径方向外側に向かって上方に傾斜する傾斜面３７ａを有するように構成した。これによって、押圧部３７からの押圧力により係合筒部２３を効率よく径方向内側へと変形させて嵌合爪２３ａと突出リング１３ａとの係合を解除することができる。
【００３６】
また、本実施形態では、蓋体３０の側壁３１の下端部３３、及び本体容器１０の蓋体押圧部１２が三角波又は正弦波形状を有するように構成した。これによって、図２の状態から蓋体３０を周方向に回転させることによって、蓋体３０とレフィル容器２０とのアンダーカット係合を解除する力を効率よく発生させることができる。
【００３７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００３８】
１０      本体容器
１１      外周壁
１２      蓋体押圧部
１２ａ    傾斜面
１３      底部筒壁
１３ａ    突出リング
１３ｂ    回り止めリブ
１４      本体底壁
２０      レフィル容器
２１      周壁
２１ａ    上部開口
２２      底壁
２３      係合筒部
２３ａ    嵌合爪
２３ｂ    傾斜面
２４      底部周壁
２４ａ    リブ
２６      係合突起
２７      雄ねじ部（係合部）
３０      蓋体
３１      側壁
３２      内側突部
３３      下端部
３５      天壁
３７      押圧部
３７ａ    傾斜面
３７ｂ    支持部
４０      本体蓋
４１      側壁
４１ａ    雌ねじ部
４３      天壁
１００    二重容器
Ｏ        中心軸線
Ｓ        収容空間
【図１】
2018140831.tif 000003
【図２】
2018140831.tif 000004
【図３】
2018140831.tif 000005
【図４】
2018140831.tif 000006